(57)【要約】      （修正有）【課題】挿入時及び抜去時における操作が容易で、また閉塞能も向上し、薬液や血液等の飛び跳ねを防止するニードルレス混注管用割弁を提供する。【解決手段】ニードルレス混注管用割弁８０は、円板状からなり、その上部又は上面部８１には、同心円状に円形凹部７を有し、またその下部又は下面部８２には、同心円状に凹曲面部１２を有し、更に該割弁８０の側壁の円周上には、その上端及び下端にリブ９、９をそれぞれ設けることにより側壁凹部１０が円周面に形成される。このような形状を有する割弁の中心には、閉塞孔１１を有しており、この閉塞孔１１は、割弁８０の円形凹部７に上面から中心を通る切込部及び下面から中心を通る切込部を形成し、これらが互いに十文字に形成された閉塞孔を有する。【選択図】  図１
2004201725.tif 000002
【特許請求の範囲】
【請求項１】
上面に同心円状に凹部及び下面に同心円状に凹曲面を有し、更に側壁の上端及び下端の円周上にそれぞれリブを有する円板状割弁において、該割弁の凹部に上面から中心を通る切込部及び下面から中心を通る切込部を十文字に形成した閉塞孔を有することを特徴とするニードルレス混注管用割弁。
【請求項２】
切込部は、上面からの切込部又は下面からの切込部のいずれかに円形切込部を有することを特徴とする請求項１に記載のニードルレス混注管用割弁。
【発明の詳細な説明】
【０００１】
【発明の属する技術分野】本発明は、ニードルレス混注管用割弁に関し、更に詳しくはニードルレス注射器の先端テーパ部の挿入並びに抜去が容易になると共に割弁の閉塞能も向上し、抜去時の薬液や血液等の飛び跳ねを防止し得るニードルレス混注管用割弁に関するものである。
【０００２】
【従来の技術】従来、混注管は分岐管を有し、該分岐管の開口部にゴム部材を密栓し、このゴム部材に穿刺針を突き刺してシリンジ等と接続し、薬液等を注入するごとく使用されている。このような混注管は、図６に示される如き態様で用いられている。図６において、ニードルレス混注管は、開口端３ａ，３ｂを有する本管２と側管４とがＴ字形を有する混注管１からなり、この側管４に蓋５を有し、この側管４内には、弾性部材８が充填されている。この弾性部材８の中心部には閉塞孔、例えば直線状切り込み等が設けられており、前述の穿刺針と同様にニードルレス注射器の先端テーパ部が挿入され、薬液や血液等を注入することが行われている。
【０００３】
【発明が解決しようとする課題】しかしながら、前述のごとき直線状切り込みからなる閉塞孔の場合、ニードルレス注射器等の先端テーパ部を割弁に差し込むとき、穿刺針と比較して口径部がかなり太いため、挿入時や抜去の際、本体の反撥力が大きいため、血液または薬液等の飛び散りの原因となる。更に差し込み等で反撥抵抗が強ければ差し込み抵抗が増大し差し込み難くなったり、無理に差し込んだりすると、割弁の装着固定が歪み、この歪みによってその隙間から血液や薬液等の漏れが生じ易くなったり、最悪の場合には固定ケースから脱落することも懸念される。即ち、穿刺抵抗が大きく容易に挿入することが困難であるばかりでなく、挿入時の閉塞孔の開口により薬液や血液等の液漏れや抜去時の飛び跳ねが起こるという問題があった。そこで、本発明者等は、この点について更に詳細に検討したところ、弾性部材の外周面に凹部を形成することにより先端テーパ部の挿入時に起こる抵抗を拡散することができ、その結果薬液や血液等の飛び跳ねを防止することができるようになった。また外周面に凹部を形成すると共に、閉塞孔として表面部及び裏面部とから十文字に切込部を設けることにより、穿刺抵抗を軽減し、かつ挿入時及び抜去時における操作を容易にすることができ、また閉塞能も向上し、薬液や血液等の飛び跳ねを防止することができるようになった。したがって、本発明が解決しようとする課題は、挿入時及び抜去時における操作を容易にすることができ、また閉塞能も向上し、薬液や血液等の飛び跳ねを防止することができるニードルレス混注管用割弁を提供することにある。
【０００４】
【課題を解決するための手段】上記本発明の課題は、第１項に記載の発明は、上面に同心円状に凹部及び下面に同心円状に凹曲面を有し、更に側壁の上端及び下端の円周上にそれぞれリブを有する円板状割弁において、該割弁の凹部に上面から中心を通る切込部及び下面から中心を通る切込部を十文字に形成した閉塞孔を有することを特徴とするニードルレス混注管用割弁によって達成される。また第２項の発明は、前記第１項に記載のニードルレス混注管用割弁において、切込部は、上面からの切込部又は下面からの切込部のいずれかに円形切込部を有することを特徴とするニードルレス混注管用割弁によって達成される。
【０００５】
【発明の実施の形態】本発明の第１項に記載のニードルレス混注管用割弁は、上面に同心円状に凹部及び下面に同心円状に凹曲面を有し、更に側壁の上端及び下端の円周上にそれぞれリブを有する円板状割弁において、該割弁の凹部に上面から中心を通る切込部及び下面から中心を通る切込部を十文字に形成した閉塞孔を有することにより、穿刺抵抗を軽減し、かつ挿入時及び抜去時における操作を容易にすることができ、また閉塞能も向上し、薬液や血液等の飛び跳ねを防止することができるという優れた効果を奏するものである。また本発明の第２項に記載のニードルレス混注管用割弁は、切込部は、上面からの切込部又は下面からの切込部のいずれかに円形切込部を有することにより一層好ましい前記第１項に記載された発明の効果を奏するものである。
【０００６】
以下に、本発明の実施の形態を図面で説明するが、本発明は、これらの例によって限定されるものではない。図１は、本発明のニードルレス混注管用割弁を示す斜視図である。図２は、本発明のニードルレス混注管用割弁を示す平面図及び断面図であり、図２のａは、その平面図である。また図２のｂは、その断面図である。図１及び図２のａ又は図２のｂにおいて、斜線部は、本発明のニードルレス混注管用割弁の一部を欠如した断面を示すためのものであり、このニードルレス混注管用割弁８は、円板状からなり、その上部又は上面部８１には、同心円状に円形凹部７を有し、またその下部又は下面部８２には、同心円状に凹曲面部１２を有し、更に該割弁８０の側壁の円周上には、その上端及び下端にリブ９、９をそれぞれ設けることにより側壁凹部１０が円周面に形成される。このような形状を有する割弁の中心には、閉塞孔１１を有しており、この閉塞孔１１は、割弁８０の円形凹部７に上面から中心を通る切込部１１ａ及び下面から中心を通る切込部１１ｂを形成し、これらが互いに十文字に形成された閉塞孔を有する。
【０００７】
図３は、本発明のニードルレス混注管用割弁の別の例を示す断面図である。図３において、閉塞孔の切込部１１は、上面部８１からの切込１１ｃと下面部８２からの円形切込部（又は円筒状切込部）１１ｄとからなる。円形切込部１１ｄは、凹曲面１２側から設けられ、この円形切込部１１ｄの高さは適宜決められるものであるが、好ましくは厚みを１とした場合、０．６〜０．８の高さがよい。またこの閉塞孔の円形切込部１１ｄは円形凹部７側から設けてもよい。本発明に用いられるニードルレス混注管用割弁８０の材質としては、シリコーンゴム、天然ゴム（例えば純化天然ゴム）、ポリウレタン、軟質ポリ塩化ビニル、スチレン−ブタジエン共重合体、ポリイソプレン、アクリロニトリル−ブタジエン系共重合体等が挙げられる。好ましくはシリコーンゴム、純化天然ゴム又はポリイソプレンである。
【０００８】
ここで、本発明のニードルレス混注管用割弁８０を図５に示されてるニードルレス混注管に使用されている弾性部材８に代えて本発明に係る割弁８０を使用した場合について説明する。図４では、本発明の割弁を使用したニードルレス混注管の斜視図である。図４において、側管４には、上部開口部に蓋５が設けられており、蓋爪部５ａがつまみを構成し、後部には蓋５と側管４とを蝶番５ｂで開閉可能に接続されており、前記つまみを摘んで開閉するようになっている。また図５は、図４に示されるニードルレス混注管において、蓋５を省略したニードルレス混注管に割弁を使用したニードルレス混注管の断面図である。また図５において、円内のＢは、円Ａを拡大した図である。図５に示されるニードルレス混注管１は、本管２と側管４とでＴ字型に形成されており、本管２には、開口部３ａ及び３ｂを有する。また、この側管４と本管２は連通しており、更に側管４には、ニードルレス混注管用割弁８０を内蔵するものである。この割弁８０は、側管４の内径に一致して形成されており、基本的には円板状であり側管４の内壁に上下に設けられているリブ９、９により側管４の内壁に密着されている。
【０００９】
このように側管４に設置され内蔵されている割弁８０の内壁の円周部には、図１乃至図２に示されている如き円形凹部１０が側壁周囲に形成され、該側壁の上端及び下端はリブ９、９が形成される。このニードルレス混注管１は、使用に際しつまみ５ａを摘んで蓋５を開け、ニードルレス混注管の先端テーパ部をニードルレス混注管用割弁８０の中心部に刺し込んで薬液等を注入する。この円形凹部１０により十文字形状の閉塞孔１１にニードルレス注射器の先端テーパ部が挿入されると、その応力が円形凹部１０へ歪として現れ、割弁８０は、円周方向に膨らむが、その膨らむときの押圧は円形凹部１０に吸収されるので、挿入時の拡張抵抗を逃がしまた抜去時の穿刺抵抗が軽減されるばかりでなく、薬液や血液の飛び跳ね等を防止することができる。即ちリブ９、９と連動する、いわゆる拮抗作用により挿入ならびに抜去等の操作が容易となるという優れた効果を奏するものである。
【００１０】
本発明のニードルレス混注管用割弁８０は、ニードルレス混注管に内蔵されて該混注管と共に用いられるが、このニードルレス混注管は、この他、適宜の用途に使用され、一例を挙げれば、輸液・輸血セット、血液回路、バッグ類の蓋、薬液ビンの蓋、検査器具等に用いられる。
【００１１】
【発明の効果】本発明のニードルレス混注管用割弁は、上面に同心円状に凹部及び下面に同心円状に凹曲面を有し、更に側壁の上端及び下端の円周上にそれぞれリブを有する円板状割弁において、該割弁の凹部に上面から中心を通る切込部及び下面から中心を通る切込部を十文字に形成した閉塞孔を有することにより、穿刺抵抗を軽減し、かつ挿入時及び抜去時における操作を容易にすることができ、また閉塞能も向上し、薬液や血液等の飛び跳ねを防止することができるという優れた効果を奏するものである。また本発明の第２項に記載のニードルレス混注管用割弁は、切込部は、上面からの切込部又は下面からの切込部のいずれかに円形切込部を有することにより一層好ましい前記第１項に記載された発明の効果を奏するものである。
【図面の簡単な説明】
【図１】本発明のニードルレス混注管用割弁を示す斜視図である。
【図２】本発明のニードルレス混注管用割弁のそれぞれ平面図及び断面図を示す。
【図３】本発明のニードルレス混注管用割弁の別の例の断面図を示す。
【図４】混注管（ケース）に本発明の弾性部材が内蔵されたニードルレス混注管を示す斜視図である。
【図５】本発明の弾性部材が内蔵されたニードルレス混注管を示す断面図である。
【図６】混注管（ケース）に従来の弾性部材が内蔵されたニードルレス混注管を示す斜視図である。
【符号の説明】
１  ニードルレス混注管      ９  リブ
２  本管                    １０  側壁凹部
３  チューブ                １１  切込部（１１ａと１１ｂで十文字形）
３ａ、３ｂ  本管開口部      １１ｃ  切込部
４  側管                    １１ｄ  円形切込部（円筒状切込部）
５  蓋                      １２  凹曲面部
５ａ  蓋爪部（つまみ）      １３  ニードルレス注射器
５ｂ  蓋蝶番                １４  先端テーパ部
６  弾性部材の抑えキャップ
７  円形凹部
８  弾性部材
８０  ニードルレス混注管用割弁
８１  上部又は上面部
８２  下部又は下面部
【図１】
2004201725.tif 000003
【図２】
2004201725.tif 000004
【図３】
2004201725.tif 000005
【図４】
2004201725.tif 000006
【図５】
2004201725.tif 000007
【図６】
2004201725.tif 000008